(57)【要約】【課題】  交通機関の運行状況に応じた移動経路を知ることができる移動経路検索システムを提供する。【解決手段】  移動経路を検索する移動経路検索サーバ１が、移動者（Ａ）に携行される第１のユーザ端末（３）から移動経路の検索条件３０１をステップＳ１で受信し、交通機関情報をステップＳ３で交通機関情報データベース１１から読み出し、交通機関の運行状況を示す運行情報２０１をステップＳ５で運行情報サーバ２から受信し、検索条件３０１と交通機関情報１１１と運行情報を基に移動経路を示す移動経路情報１００１を生成し、該移動経路情報１００１をステップＳ１１で第１のユーザ端末（３）へ、ステップＳ１５で第２のユーザ端末（４）へそれぞれに送信して当該移動経路をステップＳ９及びステップＳ１３で表示させるので、移動者（Ａ）及び移動先で待つ友人等が交通機関の運行状況に応じた移動経路を知ることができる。【選択図】図２
2005032146.tif 000002
【特許請求の範囲】
【請求項１】
移動経路を検索する移動経路検索サーバが、移動者に携行される第１のユーザ端末から移動経路の検索条件を受信し、交通機関を利用して移動経路を検索するための交通機関情報を交通機関情報データベースから読み出し、前記交通機関の運行状況を示す運行情報を運行情報サーバから受信し、前記検索条件と前記交通機関情報と前記運行情報を基に移動経路を示す移動経路情報を生成し、該移動経路情報を前記第１のユーザ端末と該端末でない第２のユーザ端末の少なくとも一方へ送信して当該移動経路を表示させることを特徴とする移動経路検索システム。
【請求項２】
現在時刻と前記検索条件と前記交通機関情報と前記運行情報を基に移動先への到着予測時刻を示す情報を生成し、該情報を前記第１のユーザ端末と第２のユーザ端末の少なくとも一方へ送信して当該到着予測時刻を表示させることを特徴とする請求項１記載の移動経路検索システム。
【請求項３】
現在時刻と前記移動経路情報と前記到着予測時刻を基に、移動者の予測現在位置を示す予測現在位置情報を生成し、該予測現在位置情報を前記第２のユーザ端末へ送信して当該予測現在位置を表示させることを特徴とする請求項１または２記載の移動経路検索システム。
【請求項４】
前記予測現在位置情報の生成及び送信を前記第２のユーザ端末からの要求に対して行うことを特徴とする請求項３記載の移動経路検索システム。
【請求項５】
電子メールアドレスを記憶し、該電子メールアドレスを宛先とした電子メールにより前記第２のユーザ端末へ移動経路情報を送信することを特徴とする請求項１ないし４のいずれかに記載の移動経路検索システム。
【発明の詳細な説明】
【技術分野】
【０００１】
本発明は、交通機関の運行状況に応じた移動経路を検索できる移動経路検索システムに関する。
【背景技術】
【０００２】
従来より、インターネットのウェブサイトにより移動経路を検索する検索サービスが提供されている。この検索サービスでは、ユーザがパソコンなどから、例えば、虎ノ門から三鷹へ移動する旨を入力すると、列車の時刻表などにより移動経路として、例えば赤坂見附及び四谷を経由する移動経路が検索されてパソコンに表示される。市販の検索ソフトウェアにおいても同様の移動経路検索を行うことができる。なお、下記の非特許文献１または２に記載されたウェブサイトにより検索サービスが実際に提供され、下記の非特許文献３に記載されたソフトウェアにより実際に検索が実行できる。
【非特許文献１】ジョルダン株式会社、”乗り換え案内”[online]、[平成１５年６月２７日検索]、インターネット＜ＵＲＬ：http://www.jorudan.co.jp/＞
【非特許文献２】株式会社 駅前探険倶楽部、”駅前探険倶楽部”[online]、[平成１５年６月２７日検索]、インターネット＜ＵＲＬ：http://ekimae.toshiba.co.jp/＞
【非特許文献３】株式会社ヴァル研究所、”駅すぱあと／製品情報 ”[online]、[平成１５年６月２７日検索]、インターネット＜ＵＲＬ：http://www.ekiworld.net/products/ekispert/index.html＞
【発明の開示】
【発明が解決しようとする課題】
【０００３】
上述したように、従来の検索サービスや検索ソフトウェアは、列車の時刻表などの固定的なデータを基に移動経路の検索を行っているので、事故、渋滞、遅延などが発生した場合は、検索された移動経路に対し、ユーザがこれら運行状況に応じた判断を加えて、実際の移動経路を決めなければならない。
【０００４】
例えば、赤坂見附及び四谷を経由する移動経路が最適なものとして検索されたとしても、四谷で事故があったことを知れば、実際は、赤坂見附及び荻窪を経由する移動経路で移動しなけらばならない。
【０００５】
そこで本発明は、上記の従来の課題に鑑みてなされたものであり、その目的とするところは、交通機関の運行状況に応じた移動経路を検索できる移動経路検索システムを提供することにある。
【課題を解決するための手段】
【０００６】
上記従来の課題を解決するために、請求項１の本発明は、移動経路を検索する移動経路検索サーバが、移動者に携行される第１のユーザ端末から移動経路の検索条件を受信し、交通機関を利用して移動経路を検索するための交通機関情報を交通機関情報データベースから読み出し、前記交通機関の運行状況を示す運行情報を運行情報サーバから受信し、前記検索条件と前記交通機関情報と前記運行情報を基に移動経路を示す移動経路情報を生成し、該移動経路情報を前記第１のユーザ端末と該端末でない第２のユーザ端末の少なくとも一方へ送信して当該移動経路を表示させることを特徴とする移動経路検索システムをもって解決手段とする。
【０００７】
請求項１の移動経路検索システムによれば、移動経路を検索する移動経路検索サーバが、移動者に携行される第１のユーザ端末から移動経路の検索条件を受信し、交通機関を利用して移動経路を検索するための交通機関情報を交通機関情報データベースから読み出し、前記交通機関の運行状況を示す運行情報を運行情報サーバから受信し、前記検索条件と前記交通機関情報と前記運行情報を基に移動経路を示す移動経路情報を生成し、該移動経路情報を前記第１のユーザ端末と該端末でない第２のユーザ端末の少なくとも一方へ送信して当該移動経路を表示させるので、交通機関の運行状況に応じた移動経路を知ることができる。
【０００８】
また、請求項２の本発明は、現在時刻と前記検索条件と前記交通機関情報と前記運行情報を基に移動先への到着予測時刻を示す情報を生成し、該情報を前記第１のユーザ端末と第２のユーザ端末の少なくとも一方へ送信して当該到着予測時刻を表示させることを特徴とする請求項１記載の移動経路検索システムをもって解決手段とする。
【０００９】
請求項２の移動経路検索システムによれば、現在時刻と前記検索条件と前記交通機関情報と前記運行情報を基に移動先への到着予測時刻を示す情報を生成し、該情報を前記第１のユーザ端末と第２のユーザ端末の少なくとも一方へ送信して当該到着予測時刻を表示させるので、移動者の移動先への到着予測時刻を知ることができる。
【００１０】
また、請求項３の本発明は、現在時刻と前記移動経路情報と前記到着予測時刻を基に、移動者の予測現在位置を示す予測現在位置情報を生成し、該予測現在位置情報を前記第２のユーザ端末へ送信して当該予測現在位置を表示させることを特徴とする請求項１または２記載の移動経路検索システムをもって解決手段とする。
【００１１】
請求項３の移動経路検索システムによれば、現在時刻と前記移動経路情報と前記到着予測時刻を基に、移動者の予測現在位置を示す予測現在位置情報を生成し、該予測現在位置情報を前記第２のユーザ端末へ送信して当該予測現在位置を表示させるので、第２のユーザ端末で移動者の予測現在位置を知ることができる。
【００１２】
また、請求項４の本発明は、前記予測現在位置情報の生成及び送信を前記第２のユーザ端末からの要求に対して行うことを特徴とする請求項３記載の移動経路検索システムをもって解決手段とする。
【００１３】
請求項４の移動経路検索システムによれば、前記予測現在位置情報の生成及び送信を前記第２のユーザ端末からの要求に対して行うので、第２のユーザ端末から要求を行うことにより、移動者の予測現在位置を知ることができる。
【００１４】
また、請求項５の本発明は、電子メールアドレスを記憶し、該電子メールアドレスを宛先とした電子メールにより前記第２のユーザ端末へ移動経路情報を送信することを特徴とする請求項１ないし４のいずれかに記載の移動経路検索システムをもって解決手段とする。
【００１５】
請求項５の移動経路検索システムによれば、電子メールアドレスを記憶し、該電子メールアドレスを宛先とした電子メールにより前記第２のユーザ端末へ移動経路情報を送信するので、交通機関の運行状況に応じた移動経路を第２のユーザ端末において電子メールで知ることができる。
【発明の効果】
【００１６】
本発明によれば、移動経路を検索する移動経路検索サーバが、移動者に携行される第１のユーザ端末から移動経路の検索条件を受信し、交通機関を利用して移動経路を検索するための交通機関情報を交通機関情報データベースから読み出し、前記交通機関の運行状況を示す運行情報を運行情報サーバから受信し、検索条件と交通機関情報と運行情報を基に移動経路を示す移動経路情報を生成し、該移動経路情報を第１のユーザ端末と第２のユーザ端末の少なくとも一方へ送信して当該移動経路を表示させるので、交通機関の運行状況に応じた移動経路を知ることができる。
【発明を実施するための最良の形態】
【００１７】
以下、本発明の実施の形態を図面を参照して説明する。
【００１８】
図１は、本発明の実施の形態に係る移動経路検索システムの構成を示す図である。図１において、１は、移動経路を示す移動経路情報を生成して提供する移動経路検索サーバ、２は、事故、渋滞、遅延などといった交通機関の運行状況を示す運行情報を提供する運行情報サーバ、３は、ユーザＡに携行及び操作されるユーザ端末、４は、ユーザＡの移動先で待つ友人等であるユーザＢに携行及び操作されるユーザ端末である。なお、実際は多数のユーザ端末が利用可能であるが、便宜の点から、ユーザ端末３とユーザ端末４のみを例に説明する。
【００１９】
移動経路検索サーバ１は、交通機関を利用した移動経路を検索するための交通機関情報１１１（図示せず）が記憶された交通機関情報データベース１１と、検索条件等を基に移動経路情報を生成する移動経路情報生成部１２と、検索条件等を受信し該条件により生成された移動経路情報を送信する通信部１３を備える。なお、ここでは、複数の会社にそれぞれ運行される複数の交通機関を単に交通機関と総称する。また、交通機関情報１１１は、経路表、時刻表、料金表などで構成される。また、移動経路検索サーバ１は、ユーザ端末３からの登録処理によりユーザ端末４の電子メールアドレス４１１（図示せず）を記憶している。
【００２０】
運行情報サーバ２、ユーザ端末３及びユーザ端末４は、移動経路検索サーバ１との通信が可能となっている。
【００２１】
運行情報サーバ２は、交通機関における事故、渋滞、遅延などの内容、つまり運行状況を示す運行情報を送信する通信部２１を備える。なお、運行情報サーバ２は、各交通機関を運営する会社に保有される複数のサーバを総称したものである。
【００２２】
ユーザ端末３は、ユーザＡに操作される入力部３１と、入力部３１への操作により得られた検索条件を送信し該条件により生成された移動経路情報を受信する通信部３２と、受信された移動経路情報により移動経路を表示する表示部３３とを備える。
【００２３】
同様にユーザ端末４は、ユーザＢに操作される入力部４１と、入力部４１への操作により得られた検索条件を送信し該条件により生成された移動経路情報を受信する通信部４２と、受信された移動経路情報により移動経路を表示する表示部４３とを備える。
【００２４】
次に、本実施の形態の移動経路検索システムの動作を説明する。
【００２５】
図２は、本実施の形態の移動経路検索システムの動作を示すシーケンス図である。なお、移動元を虎ノ門、移動先を三鷹として説明する。
【００２６】
ユーザ端末３は、入力部３１に対する操作内容に応じて、虎ノ門と三鷹とを含む検索条件３０１を生成し、通信部３２がハイパーテキスト転送プロトコル等を用いて検索条件３０１を移動経路検索サーバ１へ送信する（ステップＳ１）。検索条件３０１には、移動日の条件、到着希望時刻の条件、移動経路の表示順の条件（金額の少ない順、所用時間の少ない順など）などが含まれることがある。
【００２７】
移動経路検索サーバ１の通信部１３は、検索条件３０１を受信して、移動経路情報生成部１２に与える。
【００２８】
移動経路情報生成部１２は、交通機関情報データベース１１から交通機関情報１１１を読み出す（ステップＳ３）。
【００２９】
移動経路情報生成部１２は、さらに運行情報サーバ２に要求し、該要求に応じて通信部２１が送信した運行情報、例えば、事故、渋滞、遅延等がないことを示す運行情報２０１を受信する（ステップＳ５）。
【００３０】
移動経路情報生成部１２は、現在時刻「１２：００」と検索条件３０１と交通機関情報１１１と運行情報２０１を基に、虎ノ門から赤坂見附及び四谷経由で三鷹へ移動する移動経路と三鷹への到着予測時刻「１３：００」を示す移動経路情報１００１を生成し、通信部１３がハイパーテキスト転送プロトコル等を用いてユーザ端末３へ送信する（ステップＳ７）。
【００３１】
ユーザ端末３の通信部３２は、移動経路情報１００１を受信し、移動経路情報１００１により表示部３３が、虎ノ門から赤坂見附及び四谷経由で三鷹へ移動する移動経路と三鷹への到着予測時刻「１３：００」を表示する（ステップＳ９）。
【００３２】
また、移動経路検索サーバ１の通信部１３が、電子メールアドレス４１１を宛先とした電子メールにより、移動経路情報１００１をユーザ端末４へ送信する（ステップＳ１１）。
【００３３】
ユーザ端末４の通信部４２は、移動経路情報１００１を受信し、移動経路情報１００１により表示部４３が、虎ノ門から赤坂見附及び四谷経由で三鷹へ移動する移動経路と三鷹への到着予測時刻「１３：００」を表示する（ステップＳ１３）。
【００３４】
なお、四谷で事故があったことを示す運行情報２０２がステップＳ５で送受信された場合は、移動経路情報生成部１２は、検索条件３０１と交通機関情報１１１と運行情報２０２を基に、虎ノ門から赤坂見附及び荻窪経由で三鷹へ移動する移動経路と三鷹への到着予測時刻「１３：０７」を示す移動経路情報１００２を生成し、ステップＳ７で通信部１３がハイパーテキスト転送プロトコル等を用いてユーザ端末３へ送信する。
【００３５】
ユーザ端末３の通信部３２は、移動経路情報１００２を受信し、移動経路情報１００２により表示部３３が、虎ノ門から赤坂見附及び荻窪経由で三鷹へ移動する移動経路と三鷹への到着予測時刻「１３：０７」を表示する（ステップＳ９）。
【００３６】
また、移動経路検索サーバ１の通信部１３が、電子メールアドレス４１１を宛先とした電子メールにより、移動経路情報１００２をユーザ端末４へ送信する（ステップＳ１１）。
【００３７】
ユーザ端末４の通信部４２は、移動経路情報１００２を受信し、移動経路情報１００２により表示部４３が、虎ノ門から赤坂見附及び荻窪経由で三鷹へ移動する移動経路と三鷹への到着予測時刻「１３：０７」を表示する（ステップＳ１３）。
【００３８】
さて、現在時刻が「１２：１０」になったときの動作を説明する。
【００３９】
ユーザ端末４は、入力部４１に対する操作内容に応じて、現在位置検索要求４０１を生成し、通信部４２がハイパーテキスト転送プロトコル等を用いて現在位置検索要求４０１を移動経路検索サーバ１へ送信する（ステップＳ１５）。
【００４０】
移動経路情報生成部１２は、現在位置検索要求４０１をトリガとして、現在時刻「１２：１０」と移動経路情報１００１と到着予測時刻「１３：００」を基に、ユーザＡの予測現在位置「四谷」を示す予測現在位置情報１１０１を生成し、通信部１３がハイパーテキスト転送プロトコル等を用いてユーザ端末４へ送信する（ステップＳ１７）。
【００４１】
ユーザ端末４の通信部４２は、予測現在位置情報１１０１を受信し、予測現在位置情報１１０１により表示部４３が、ユーザＡの予測現在位置「四谷」を表示する（ステップＳ１９）。
【００４２】
以上説明したように、本実施の形態の移動経路検索システムによれば、移動経路を検索する移動経路検索サーバ１が、移動者（Ａ）に携行される第１のユーザ端末（３）から移動経路の検索条件３０１をステップＳ１で受信し、交通機関を利用して移動経路を検索するための交通機関情報１１１をステップＳ３で交通機関情報データベース１１から読み出し、交通機関の運行状況を示す運行情報２０１をステップＳ５で運行情報サーバ２から受信し、検索条件３０１と交通機関情報１１１と運行情報を基に移動経路を示す移動経路情報１００１を生成し、該移動経路情報１００１をステップＳ１１で第１のユーザ端末（３）へ、ステップＳ１５で第２のユーザ端末（４）へそれぞれに送信して当該移動経路をステップＳ９及びステップＳ１３で表示させるので、移動者（Ａ）及び移動先で待つ友人等が交通機関の運行状況に応じた移動経路を知ることができる。なお、場合によって移動経路を表示させるのは、ユーザ端末３とユーザ端末４のいずれか一方だけでもよい。
【００４３】
また、移動経路検索サーバ１が、現在時刻と検索条件３０１と交通機関情報１１１１と運行情報２０１を基に移動先への到着予測時刻を示す移動経路情報１００１を生成し、該移動経路情報１００１をステップＳ１１で第１のユーザ端末（３）へ、ステップＳ１５で第２のユーザ端末（４）へそれぞれに送信して当該到着予測時刻をステップＳ９及びステップＳ１３で表示させるので、移動者（Ａ）及び移動先で待つ友人等が移動先への到着予測時刻を知ることができる。なお、場合によって到着予測時刻を表示させるのは、ユーザ端末３とユーザ端末４のいずれか一方だけでもよい。
【００４４】
また、移動経路検索サーバ１が、現在時刻と移動経路情報１００１と到着予測時刻を基に、移動者（Ａ）の予測現在位置を示す予測現在位置情報を生成し、該予測現在位置情報をステップＳ１７で第２のユーザ端末（４）へ送信して当該予測現在位置をステップＳ１９で表示させるので、移動先で待つ友人等が第２のユーザ端末（４）で移動者（Ａ）の予測現在位置を知ることができる。
【００４５】
また、予測現在位置情報の生成及び送信を第２のユーザ端末（４）からの要求に対して行うので、第２のユーザ端末（４）から要求を行うことにより、移動者（Ａ）の予測現在位置を知ることができる。
【００４６】
また、移動経路検索サーバ１が、電子メールアドレスを記憶し、該電子メールアドレスを宛先とした電子メールにより第２のユーザ端末（４）へ移動経路情報を送信するので、交通機関の運行状況に応じた移動経路を第２のユーザ端末（４）において電子メールで知ることができる。
【産業上の利用可能性】
【００４７】
本発明の移動経路検索システムは、交通機関の運行状況に応じた移動経路を検索する際に利用可能である。
【図面の簡単な説明】
【００４８】
【図１】本発明の実施の形態に係る移動経路検索システムの構成を示す図である。
【図２】本実施の形態の移動経路検索システムの動作を示すシーケンス図である。
【符号の説明】
【００４９】
１  移動経路検索サーバ
２  運行情報サーバ
３、４  ユーザ端末
１１  交通機関情報データベース
１２  移動経路情報生成部
１３、２１、３２、４２  通信部
３１、４１  入力部
３３、４３  表示部
【図１】
2005032146.tif 000003
【図２】
2005032146.tif 000004